(57)【要約】【課題】  アルミ箔反射層を用いた反射型スクリーンにおいて、スペックルを簡易に制御できる反射型スクリーンを提供するものである。【解決手段】  表面拡散層１、透明粘着剤層２及びアルミ箔反射層５を積層してなる反射型スクリーンであって、前記透明粘着剤層２には拡散材が添加され、この透明粘着剤層２とアルミ箔反射層５との間には所定厚の透明層３が設けられているものである。【選択図】      図１
2005189517.tif 000002
【特許請求の範囲】
【請求項１】
表面拡散層、透明粘着剤層及びアルミ箔反射層を積層してなる反射型スクリーンであって、前記透明粘着剤層には拡散材が添加され、この透明粘着剤層とアルミ箔反射層との間には所定厚の透明層が設けられていることを特徴とする反射型スクリーン。
【請求項２】
請求項１記載の反射型スクリーンにおいて、拡散材は透明粘着剤層のヘイズが50〜70となるような添加量であることを特徴とする反射型スクリーン。
【請求項３】
請求項１，２いずれか１項に記載の反射型スクリーンにおいて、透明層は厚さが１ｍｍ以上であることを特徴とする反射型スクリーン。
【請求項４】
請求項１，２いずれか１項に記載の反射型スクリーンにおいて、透明層は厚さが１ｍｍ〜３ｍｍであることを特徴とする反射型スクリーン。
【請求項５】
請求項１〜４いずれか１項に記載の反射型スクリーンにおいて、透明層及びアルミ箔反射層との間には偏光板が設けられていることを特徴とする反射型スクリーン。
【請求項６】
請求項５記載の反射型スクリーンにおいて、アルミ箔反射層の上に拡散材を添加しない透明粘着剤層が積層され、この拡散材を添加しない透明粘着剤層の上に偏光板が積層され、この偏光板の上に拡散材を添加しない透明粘着剤層が積層され、この拡散材を添加しない透明粘着剤層の上に透明層が積層され、この透明層の上に拡散材を添加した透明粘着剤層が積層され、この拡散材を添加した透明粘着剤層の上に表面拡散層が積層されることを特徴とする反射型スクリーン。
【請求項７】
請求項６記載の反射型スクリーンにおいて、表面拡散層、拡散材を添加しない透明粘着剤層、透明層、偏光板及び拡散材を添加した透明粘着剤層の各層の屈折率は1.45〜1.55であることを特徴とする反射型スクリーン。
【発明の詳細な説明】
【技術分野】
【０００１】
本発明は、アルミ箔を用いた反射型スクリーンに関するものである。
【背景技術】
【０００２】
従来、圧延したアルミ箔反射層に透明粘着剤層を介して表面拡散層を積層した反射型スクリーンが提案されており、この反射型スクリーンは、アルミ箔表面の微細な凹凸（ヘアーラインといわれ、このヘアーラインは圧延形成の際に必然的に発生するものである。）により光学特性（解像度）が良好となることが認められている。
【発明の開示】
【発明が解決しようとする課題】
【０００３】
しかしながら、微細なヘアーラインが多すぎると、アルミ箔表面に投射された光が干渉しあうことによりスペックル（ぎらつき）が観察される。このようなスペックルは、薄暗い部屋での鑑賞や白色映像が投射されているときに目立つため、不快感を感じる場合がある。
【０００４】
ところで、前記微細なヘアーラインは、凹凸深さが200μｍ以上であればスペックルが生じないが、凹凸深さが200μｍ以下であると、スペックルが観察されやすいことが理論上言われている。実際、アルミ箔の圧延形成の際に発生するヘアーラインの凹凸深さは100μｍ以下のものがほとんどである。
【０００５】
そこで、例えば、アルミ箔製造時にアルミ箔表面の凹凸深さを200μｍ以上とすることでスペックルの発生を防止する方法が考えられるが、アルミ箔表面の凹凸深さが200μｍ以上となるように工程を管理することは困難であるため、スペックルを防止することは難しい。
【０００６】
本発明は、アルミ箔反射層を用いた反射型スクリーンにおいて、スペックルを簡易に制御できる反射型スクリーンを提供するものである。
【課題を解決するための手段】
【０００７】
添付図面を参照して本発明の要旨を説明する。
【０００８】
表面拡散層１、透明粘着剤層２及びアルミ箔反射層５を積層してなる反射型スクリーンであって、前記透明粘着剤層２には拡散材が添加され、この透明粘着剤層２とアルミ箔反射層５との間には所定厚の透明層３が設けられていることを特徴とする反射型スクリーンに係るものである。
【０００９】
また、請求項１記載の反射型スクリーンにおいて、拡散材は透明粘着剤層２のヘイズが50〜70となるような添加量であることを特徴とする反射型スクリーンに係るものである。
【００１０】
また、請求項１，２いずれか１項に記載の反射型スクリーンにおいて、透明層３は厚さが１ｍｍ以上であることを特徴とする反射型スクリーンに係るものである。
【００１１】
また、請求項１，２いずれか１項に記載の反射型スクリーンにおいて、透明層３は厚さが１ｍｍ〜３ｍｍであることを特徴とする反射型スクリーンに係るものである。
【００１２】
また、請求項１〜４いずれか１項に記載の反射型スクリーンにおいて、透明層３及びアルミ箔反射層５との間には偏光板４が設けられていることを特徴とする反射型スクリーンに係るものである。
【００１３】
また、請求項５記載の反射型スクリーンにおいて、アルミ箔反射層５の上に拡散材を添加しない透明粘着剤層２”が積層され、この拡散材を添加しない透明粘着剤層２”の上に偏光板４が積層され、この偏光板４の上に拡散材を添加しない透明粘着剤層２’が積層され、この拡散材を添加しない透明粘着剤層２’の上に透明層３が積層され、この透明層３の上に拡散材を添加した透明粘着剤層２が積層され、この拡散材を添加した透明粘着剤層２の上に表面拡散層１が積層されることを特徴とする反射型スクリーンに係るものである。
【００１４】
また、請求項６記載の反射型スクリーンにおいて、表面拡散層１、拡散材を添加しない透明粘着剤層２'，２”、透明層３、偏光板４及び拡散材を添加した透明粘着剤層２の各層の屈折率は1.45〜1.55であることを特徴とする反射型スクリーンに係るものである。
【発明の効果】
【００１５】
本発明は、透明粘着剤層に拡散材を添加したのでスペックルが分散して平均化し、透明粘着剤層とアルミ箔反射層との間に所定厚の透明層を設けたので、アルミ箔表面に発生したスペックルの解像度が低下した状態（ボカシ状態）で表面拡散層に達し、スペックルが制御される。
【発明を実施するための最良の形態】
【００１６】
好適と考える本発明の実施の形態を、図面に基づいて本発明の作用を示して簡単に説明する。
【００１７】
本発明は、透明粘着剤層２に拡散材を添加したので、該透明粘着剤層２が白濁し、例えば、投射された光が干渉しあって発生したスペックルが分散し平均化されることとなる。
【００１８】
更に、透明粘着剤層２とアルミ箔反射層５との間に所定厚の透明層３を設けたので、アルミ箔表面層５から表面拡散層１までに透明層３の厚みだけ距離が生じ、アルミ箔表面で発生したスペックルは、ピントが僅かに外れて解像度が低下した状態（ボカシ状態）で表面拡散層１に達することとなる。
【００１９】
よって、本発明はそれだけスペックルが目立ちにくく、スペックルを簡易に制御できる反射型スクリーンとなる。
【実施例】
【００２０】
本発明の具体的な実施例について図面に基づいて説明する。
【００２１】
本実施例は、アルミ箔反射層５の上に拡散材を添加しない透明粘着剤層２”を積層し、この拡散材を添加しない透明粘着剤層２”の上に偏光板４を積層し、この偏光板４の上に拡散材を添加しない透明粘着剤層２'を積層し、この拡散材を添加しない透明粘着剤層２'の上に透明層３を積層し、この透明層３の上に拡散材を添加した透明粘着剤層２を積層し、この拡散材を添加した透明粘着剤層２の上に表面拡散層１を積層してなる反射型スクリーンである。
【００２２】
表面拡散層１は、樹脂フィルムを採用している。樹脂フィルムとして、ＴＡＣ（トリアセチルセルロース）、ポリプロピレン、塩化ビニール、アクリル、ポリカーボネート等が採用可能である。また、前記樹脂フィルムは表面にエンボス加工若しくはコーティング加工などによりアンチグレア処理がなされ、表面硬度と表面の防眩効果を付与している。本実施例はＴＡＣを使用している。
【００２３】
拡散材を添加しない透明粘着剤層２'，２”は、感圧型アクリル系粘着剤を採用している。粘着剤として、透明性の高いアクリル系粘着剤若しくはウレタン系及びポリエステル系粘着剤等が採用可能である。前記拡散材を添加しない透明粘着剤層２'，２”の総厚は30μｍ程度とすることが望ましい。
【００２４】
また、拡散材を添加した透明粘着剤層２の拡散材は、透明性のある球形もしくは不定形フィラーで、材質はシリコーン、スチレン、アクリル等の透明性の高いものを採用している。本実施例は、平均粒径５μｍのシリコーン球形ビーズ使用し、その添加量は、拡散材を添加した透明粘着剤層２のヘイズが50〜70となるように調整している。
【００２５】
前記透明粘着剤層２のヘイズは、50以下の場合アルミ箔表面に発生したスペックルの分散及び平均化が不十分となり好ましくなく、70以上の場合光学特性が悪くなる（暗い映像が現出する）ことに加え、過剰な拡散材の添加により前記透明粘着剤層２にスジ等の外観欠陥が生じることから好ましくないことを実験により確認している。
【００２６】
透明層３は、合成樹脂製の板材を採用している。この合成樹脂製の板材として光学ガラスと同等かそれ以上の透明性を有するアクリル樹脂板による透明板材が採用可能である。
【００２７】
前記透明層３は、アルミ箔表面に発生したスペックルを厚みによりボカシ状態とする。その際、透明層３の厚みは、１ｍｍ以下であるとボカシ効果が生じずスペックルを抑制できないため好ましくなく、３ｍｍ以上であるとボカシ効果が高くなりすぎて解像度が低下するから好ましくない。即ち、透明層３の厚みは１ｍｍ〜３ｍｍの範囲とすることが望ましく、透明層３の厚みが１ｍｍ〜３ｍｍであれば、解像度を低下させることなくスペックル防止効果を発揮することができる。
【００２８】
偏光板４は、ヨウ素系偏光板若しくは染料系偏光板を採用している。具体的には偏光度が90％以上のものが採用可能である。前記偏光板の厚さは120μｍ程度としている。本実施例は、厚さが120μｍ、偏光度95％のヨウ素系偏光板を使用している。
【００２９】
アルミ箔反射層５として、インゴット若しくはスラブを圧延機によって、厚さ0.15ｍｍ以下に圧延したアルミ箔を採用している。具体的には厚さ0.007ｍｍ以下に圧延した軟質アルミ箔を採用している。
【００３０】
本実施例は、上述した表面拡散層１、拡散材を添加しない透明粘着剤層２'，２”、透明層３、偏光板４及び拡散材を添加した透明粘着剤層２の屈折率をマッチングさせている。具体的には、夫々の屈折率が1.45〜1.55となるように調整することにより、各層における表面反射を生じにくくし、層間でのスペックルの発生を可及的に抑制している。
【００３１】
尚、本実施例は、前記のようにアルミ箔反射層５の上に拡散材を添加しない透明粘着剤層２”を積層し、この拡散材を添加しない透明粘着剤層２”の上に偏光板４を積層し、この偏光板４の上に拡散材を添加しない透明粘着剤層２'を積層し、この拡散材を添加しない透明粘着剤層２'の上に透明層３を積層し、この透明層３の上に拡散材を添加した透明粘着剤層２を積層し、この拡散材を添加した透明粘着剤層２の上に表面拡散層１を積層した構成を採用しているが、透明層３と偏光板４を入れかえた構成、即ち、アルミ箔反射層５の上に拡散材を添加しない透明粘着剤層２”を積層し、この拡散材を添加しない透明粘着剤層２”の上に透明層３を積層し、この透明層３の上に拡散材を添加しない透明粘着剤層２'を積層し、この拡散材を添加しない透明粘着剤層２'の上に偏光板４を積層し、この偏光板４の上に拡散材を添加した透明粘着剤層２を積層し、この拡散材を添加した透明粘着剤層２の上に表面拡散層１を積層した構成を採用しても良い。
【００３２】
以下に比較例（従来例）を示して本実施例の特性を説明する。
【００３３】
（１）実験例１と比較実験例１は、拡散材添加層及び透明層の効果を確認した実験例である。
【００３４】
＜実験例１（拡散材添加層及び透明層有り）＞
アルミ箔反射層５の上に拡散材を添加しない透明粘着剤層２”、偏光板４、拡散材を添加しない透明粘着剤層２'、透明層３、拡散材を添加した透明粘着剤層２（ヘイズ50〜70に調整）及び表面拡散層１の順に積層してスクリーンを得た。
【００３５】
得られたスクリーンは、全白映像光を暗所にて撮影し、目視によりスペックルの評価（目立つ、やや目立つ、目立たない）を行った結果、スペックルが目立たず、得られたスクリーンは、スペックル抑制効果を示した。
【００３６】
＜比較実験例１（拡散材添加層及び透明層無し）＞
アルミ箔反射層５の上に拡散材を添加しない透明粘着剤層２”、偏光板４、拡散材を添加しない透明粘着剤層２'及び表面拡散層１の順に積層してスクリーンを得た。
【００３７】
得られたスクリーンはスペックルが目立ち、実験例１のようなスペックル抑制効果を示さなかった。
【００３８】
以上から、拡散材を添加した透明粘着剤層２及び透明層３を有しないとスクリーンにスペックルが目立つのに対し、拡散材を添加した透明粘着剤層２及び透明層３を有するとスクリーンにスペックルが目立たず、拡散材を添加した透明粘着剤層２及び透明層３によりスクリーンのスペックルを防止でき、更に適性な視野角特性も発揮できることも確認できた。
【００３９】
（２）実験例２と比較実験例２は、透明層の厚みの効果を確認した実験例である。
【００４０】
＜実験例２（透明層の厚み１ｍｍ）＞
アルミ箔反射層５の上に拡散材を添加しない透明粘着剤層２”、偏光板４、拡散材を添加しない透明粘着剤層２'、透明層３（厚み１ｍｍ）、拡散材を添加した透明粘着剤層２（ヘイズ50〜70に調整）及び表面拡散層１の順に積層してスクリーンを得た。
【００４１】
得られたスクリーンは、全白映像光を暗所にて撮影し、目視によりスペックルの評価（目立つ、やや目立つ、目立たない）を行った結果、スペックルが目立たず、得られたスクリーンは、スペックル抑制効果を示した。
【００４２】
＜比較実験例２（透明層の厚み0.3ｍｍ）＞
アルミ箔反射層５の上に拡散材を添加しない透明粘着剤層２”、偏光板４、拡散材を添加しない透明粘着剤層２'、透明層３（厚み0.3ｍｍ）、拡散材を添加した透明粘着剤層２（ヘイズ50〜70に調整）及び表面拡散層１の順に積層してスクリーンを得た。
【００４３】
得られたスクリーンはスペックルがやや目立ち、実験例２のようなスペックル抑制効果を示さなかった。
【００４４】
以上から、透明層３の厚みが0.3ｍｍであるとスクリーンにスペックルがやや目立つのに対し、透明層３の厚みが１ｍｍであるとスクリーンにスペックルが目立たず、透明層３にある程度の厚みがある場合にスクリーンのスペックルを防止でき、更に適性な視野角特性も発揮できることを確認できた。
【図面の簡単な説明】
【００４５】
【図１】本実施例の積層状態を示す説明図である。
【符号の説明】
【００４６】
１  表面拡散層
２  拡散材を添加した透明粘着剤層
２’  拡散材を添加しない透明粘着剤層
２”  拡散材を添加しない透明粘着剤層
３  透明層
４  偏光板
５  アルミ箔反射層
【図１】
2005189517.tif 000003